(57)【特許請求の範囲】
【請求項１】
伝送路に基板を着脱自在に接続するための複数のフリースロットと、前記複数のフリースロットの全てと前記伝送路を介して接続される専用スロットと、前記複数のフリースロットそれぞれに対応して設けられ前記フリースロットに挿入される基板にスロット識別符号を与える複数の識別符号発生部とを備える伝送装置と；
前記伝送装置の複数のフリースロット及び専用スロットに接続される基板それぞれの送受信信号の品質を管理するホスト制御装置と；
前記複数のフリースロットのいずれかに挿入される電子回路基板であって、送信／受信パラメータに従って前記伝送路を介して信号を送受信する第１送受信回路部と、前記第１送受信回路部の送受信処理を制御する送受信制御部と、前記第１送受信回路部に送信／受信パラメータを設定する第１パラメータ設定部と、前記第１送受信回路部の動作状態を監視して前記第１パラメータ設定部を制御する第１監視制御部とを備える前記電子回路基板と；
前記専用スロットに接続されるスイッチ処理基板であって、前記複数のフリースロットそれぞれに挿入される電子回路基板と間で送信／受信パラメータに従って信号を送受信する複数の第２送受信回路部と、前記複数の第２送受信回路部それぞれの送受信処理を選択的にオン／オフするスイッチ部と、前記複数の第２送受信回路部に前記送信／受信パラメータを設定する第２パラメータ設定部と、前記複数の第２送受信回路部それぞれの動作状態を監視して前記第２パラメータ設定部を制御する第２監視制御部とを備えるスイッチ処理基板と；
を具備し、
前記電子回路基板が前記複数のフリースロットのいずれかに活線挿入されたとき；
前記電子回路基板の前記第１監視制御部は、活線挿入されたフリースロットに対応する識別符号発生部からのスロット識別符号を取得することで挿入されたフリースロットを認識し、前記ホスト制御装置に認識されたスロット情報と共に起動を通知し、前記第１送受信回路部の受信状態を監視して、当該受信状態が規定状態となるように前記第１パラメータ設定部に前記第１送受信回路部の受信パラメータを変更させ、前記受信状態が規定状態とならない場合にはその旨を前記ホスト制御装置に通知し；
前記ホスト制御装置は、前記スロット情報及び起動の通知を受けて、前記スイッチ処理基板に、前記通知を行った電子回路基板の受信状態が規定状態となるように送信パラメータの変更を指示し；
前記スイッチ処理基板の第２監視制御部は、前記第２パラメータ設定部に前記ホスト制御装置からの指示に従って前記第２送受信回路部の送信パラメータを変更させることを特徴とする電子機器。
【請求項２】
伝送路に基板を着脱自在に接続するための複数のフリースロットと、前記複数のフリースロットの全てと前記伝送路を介して接続される専用スロットと、前記複数のフリースロットそれぞれに対応して設けられ前記フリースロットに挿入される基板にスロット識別符号を与える複数の識別符号発生部とを備える伝送装置と；
前記伝送装置の複数のフリースロット及び専用スロットに接続される基板それぞれの送受信信号の品質を管理するホスト制御装置と；
前記複数のフリースロットのいずれかに挿入される電子回路基板であって、送信／受信パラメータに従って前記伝送路を介して信号を送受信する第１送受信回路部と、前記第１送受信回路部の送受信処理を制御する送受信制御部と、前記第１送受信回路部に送信／受信パラメータを設定する第１パラメータ設定部と、前記第１送受信回路部の動作状態を監視して前記第１パラメータ設定部を制御する第１監視制御部とを備える前記電子回路基板と；
前記専用スロットに接続されるスイッチ処理基板であって、前記複数のフリースロットそれぞれに挿入される電子回路基板と間で送信／受信パラメータに従って信号を送受信する複数の第２送受信回路部と、前記複数の第２送受信回路部それぞれの送受信処理を選択的にオン／オフするスイッチ部と、前記複数の第２送受信回路部に前記送信／受信パラメータを設定する第２パラメータ設定部と、前記複数の第２送受信回路部それぞれの動作状態を監視して前記第２パラメータ設定部を制御する第２監視制御部とを備えるスイッチ処理基板と；
を具備し、
前記電子回路基板が前記複数のフリースロットのいずれかに活線挿入されたとき；
前記電子回路基板の前記第１監視制御部は、活線挿入されたフリースロットに対応する識別符号発生部からのスロット識別符号を取得することで挿入されたフリースロットを認識し、前記ホスト制御装置からスロット毎に通知される問い合わせに応答して起動を通知し、前記第１送受信回路部の受信状態を監視して、当該受信状態が規定状態となるように前記第１パラメータ設定部に前記第１送受信回路部の受信パラメータを変更させ、前記受信状態が規定状態とならない場合にはその旨を前記ホスト制御装置に通知し；
前記ホスト制御装置は、前記複数のフリースロットにそれぞれ起動の問い合わせを送り、その問い合わせに応答する電子回路基板からの起動の通知を受けて活線挿入のあった電子回路基板を識別し、前記スイッチ処理基板に前記通知を行った電子回路基板の受信状態が規定状態となるように送信パラメータの変更を指示し；
前記スイッチ処理基板の第２監視制御部は、前記第２パラメータ設定部に前記ホスト制御装置からの指示に従って前記第２送受信回路部の送信パラメータを変更させることを特徴とする電子機器。
【請求項３】
伝送路に基板を着脱自在に接続するための複数のフリースロットと、前記複数のフリースロットの全てと前記伝送路を介して接続される専用スロットと、前記複数のフリースロットそれぞれに対応して設けられ前記フリースロットに挿入される基板にスロット識別符号を与える複数の識別符号発生部とを備える伝送装置と；
前記伝送装置の複数のフリースロット及び専用スロットに接続される基板それぞれの送受信信号の品質を管理するホスト制御装置と；
前記複数のフリースロットのいずれかに挿入される電子回路基板であって、送信／受信パラメータに従って前記伝送路を介して信号を送受信する第１送受信回路部と、前記第１送受信回路部の送受信処理を制御する送受信制御部と、前記第１送受信回路部に送信／受信パラメータを設定する第１パラメータ設定部と、前記第１送受信回路部の動作状態を監視して前記第１パラメータ設定部を制御する第１監視制御部とを備える前記電子回路基板と；
前記専用スロットに接続されるスイッチ処理基板であって、前記複数のフリースロットそれぞれに挿入される電子回路基板と間で送信／受信パラメータに従って信号を送受信する複数の第２送受信回路部と、前記複数の第２送受信回路部それぞれの送受信処理を選択的にオン／オフするスイッチ部と、前記複数の第２送受信回路部に前記送信／受信パラメータを設定する第２パラメータ設定部と、前記複数の第２送受信回路部それぞれの動作状態を監視して前記第２パラメータ設定部を制御する第２監視制御部とを備えるスイッチ処理基板と；
を具備し、
前記電子回路基板が前記複数のフリースロットのいずれかに対して活線挿入・抜去のスロット構成情報の変更が通知されるとき；
前記電子回路基板の前記第１監視制御部は、活線挿入されたフリースロットに対応する識別符号発生部からのスロット識別符号を取得することで挿入されたフリースロットを認識し、前記ホスト制御装置からスロット毎に通知される問い合わせに応答して起動を通知し、前記第１送受信回路部の受信状態を監視して、当該受信状態が規定状態となるように前記第１パラメータ設定部に前記第１送受信回路部の受信パラメータを変更させ、前記受信状態が規定状態とならない場合にはその旨を前記ホスト制御装置に通知し；
前記ホスト制御装置は、前記スロット構成情報の変更内容に基づいて各フリースロットの電子回路基板の活線挿入・抜去を認識し、活線挿入が示されるフリースロットに対して電子回路基板の起動を問い合わせ、起動の通知を行った電子回路基板の受信状態が規定状態となるように送信パラメータの変更を指示し；
前記スイッチ処理基板の第２監視制御部は、前記第２パラメータ設定部に前記ホスト制御装置からの指示に従って前記第２送受信回路部の送信パラメータを変更させることを特徴とする電子機器。
【請求項４】
前記第１監視制御部は、少なくとも前記伝送装置からの受信信号レベルを監視して、前記受信パラメータとして受信ゲインを変更させることを特徴とする請求項１乃至３のいずれか記載の電子機器。
【請求項５】
前記第１監視制御部は、少なくとも前記伝送装置からの受信信号のビットエラーを監視して、前記受信パラメータとしてイコライザ値を変更させることを特徴とする請求項１乃至３のいずれか記載の電子機器。
【請求項６】
前記第２監視制御部は、前記送信パラメータとして少なくとも信号振幅、ドライブ電流のいずれかを変更させる請求項１乃至３のいずれか記載の電子機器。
【請求項７】
伝送路に基板を着脱自在に接続するための複数のフリースロットと前記複数のフリースロットの全てと前記伝送路を介して接続される専用スロットと、前記複数のフリースロットそれぞれに対応して設けられ前記フリースロットに挿入される基板にスロット識別符号を与える複数の識別符号発生部とを備える伝送装置と；
前記伝送装置の複数のフリースロット及び専用スロットに接続される基板それぞれの送受信信号の品質を管理するホスト制御装置と；
前記複数のフリースロットのいずれかに挿入される電子回路基板であって、送信／受信パラメータに従って前記伝送路を介して信号を送受信する第１送受信回路部と、前記第１送受信回路部の送受信処理を制御する送受信制御部と、前記第１送受信回路部に送信／受信パラメータを設定する第１パラメータ設定部と、前記第１送受信回路部の動作状態を監視して前記第１パラメータ設定部を制御する第１監視制御部とを備える前記電子回路基板と；
前記専用スロットに接続されるスイッチ処理基板であって、前記複数のフリースロットそれぞれに接続される電子回路基板と間で送信／受信パラメータに従って信号を送受信する複数の第２送受信回路部と、前記複数の第２送受信回路部それぞれの送受信処理を選択的にオン／オフするスイッチ部と、前記複数の第２送受信回路部に前記送信／受信パラメータを設定する第２パラメータ設定部と、前記複数の第２送受信回路部それぞれの動作状態を監視して前記第２パラメータ設定部を制御する第２監視制御部とを備えるスイッチ処理基板と；
を具備し、
前記専用スロットに前記スイッチ処理基板が活線挿入されたとき；
前記スイッチ処理基板の前記第２監視制御部は、自身の起動を判断し、起動を認識した時点で前記ホスト制御装置に起動したことを通知し、前記複数の第２送受信回路部それぞれの受信状態を監視して、各第２送受信回路部の受信状態が規定状態となるように前記パラメータ設定部に前記第２送受信回路部の受信パラメータを変更させ、前記受信状態が規定状態とならない場合にはその旨を前記ホスト制御装置に通知し；
前記ホスト制御装置は、前記通知を行った第２送受信回路部の受信状態が規定状態となるように、該当する電子回路基板に送信パラメータの変更を指示し；
前記電子回路基板の第１監視制御部は、前記第１パラメータ設定部に前記ホスト制御装置からの指示に従って前記第１送受信回路部の送信パラメータを変更させることを特徴とする電子機器。
【請求項８】
伝送路に基板を着脱自在に接続するための複数のフリースロットと前記複数のフリースロットの全てと前記伝送路を介して接続される専用スロットと、前記複数のフリースロットそれぞれに対応して設けられ前記フリースロットに挿入される基板にスロット識別符号を与える複数の識別符号発生部とを備える伝送装置と；
前記伝送装置の複数のフリースロット及び専用スロットに接続される基板それぞれの送受信信号の品質を管理するホスト制御装置と；
前記複数のフリースロットのいずれかに挿入される電子回路基板であって、送信／受信パラメータに従って前記伝送路を介して信号を送受信する第１送受信回路部と、前記第１送受信回路部の送受信処理を制御する送受信制御部と、前記第１送受信回路部に送信／受信パラメータを設定する第１パラメータ設定部と、前記第１送受信回路部の動作状態を監視して前記第１パラメータ設定部を制御する第１監視制御部とを備える前記電子回路基板と；
前記専用スロットに接続されるスイッチ処理基板であって、前記複数のフリースロットそれぞれに接続される電子回路基板と間で送信／受信パラメータに従って信号を送受信する複数の第２送受信回路部と、前記複数の第２送受信回路部それぞれの送受信処理を選択的にオン／オフするスイッチ部と、前記複数の第２送受信回路部に前記送信／受信パラメータを設定する第２パラメータ設定部と、前記複数の第２送受信回路部それぞれの動作状態を監視して前記第２パラメータ設定部を制御する第２監視制御部とを備えるスイッチ処理基板と；
を具備し、
前記専用スロットに前記スイッチ処理基板が活線挿入されたとき；
前記スイッチ処理基板の前記第２監視制御部は、自身の起動を判断し、前記ホスト制御装置から起動の問い合わせがあったときにその起動を通知し、前記複数の第２送受信回路部それぞれの受信状態を監視して、各第２送受信回路部の受信状態が規定状態となるように前記パラメータ設定部に前記第２送受信回路部の受信パラメータを変更させ、前記受信状態が規定状態とならない場合にはその旨を前記ホスト制御装置に通知し；
前記ホスト制御装置は、前記通知を行った第２送受信回路部の受信状態が規定状態となるように、該当する電子回路基板に送信パラメータの変更を指示し；
前記電子回路基板の第１監視制御部は、前記第１パラメータ設定部に前記ホスト制御装置からの指示に従って前記第１送受信回路部の送信パラメータを変更させることを特徴とする電子機器。
【請求項９】
前記第２監視制御部は、少なくとも前記伝送装置からの受信信号レベルを監視して、前記受信パラメータとして受信ゲインを変更させることを特徴とする請求項７記載の電子機器。
【請求項１０】
前記第２監視制御部は、少なくとも前記伝送装置からの受信信号のビットエラーを監視して、前記受信パラメータとしてイコライザ値を変更させることを特徴とする請求項７記載の電子機器。
【請求項１１】
前記第１監視制御部は、前記送信パラメータとして少なくとも信号振幅、ドライブ電流のいずれかを変更させることを特徴とする請求項７記載の電子機器。
【発明の詳細な説明】
【技術分野】
【０００１】
本発明の実施形態は、筐体内のマザーボードに設けられる複数のフリースロットに装着される複数の電子回路基板それぞれの送受信信号の伝送品質を管理する機能を有する電子機器に関する。
【背景技術】
【０００２】
例えば放送用送信装置のような電子機器では、それぞれ特定の処理機能を有する複数の電子回路基板が、筐体内のマザーボードに設けられる複数のフリースロットに着脱自在に接続されている。このマザーボードには、フリースロットに接続される電子回路基板間の信号伝送を差動方式により行うための伝送路が形成されている。
【０００３】
ところで、上記電子機器では、筐体内のマザーボードのフリースロットに初実装した基板に対して、筐体の電源投入直後に、伝送品質を向上させる送信パラメータや受信パラメータ（例えば、信号振幅、ドライブ電流、受信ゲイン、イコライザ等）を自動設定している。
【０００４】
一方、上記電子機器において、運用中に基板の故障や構成の変更が生じた場合には、運用を中断することなく、新規の基板を活線挿入しなければならない。しかしながら、新規基板の活線挿入時には、筐体の電源が再投入されるわけではないので、パラメータの自動設定は実行されない。この場合、旧基板のパラメータ設定値と新規基板のパラメータ設定値とが異なるにもかかわらず、パラメータの自動設定が実行されないため、電子回路基板の活線挿入と同時に運用処理が乱れ、通信品質に影響を与えることがあった。
【先行技術文献】
【特許文献】
【０００５】
【特許文献１】特開２００８−２２３９２号公報
【発明の概要】
【発明が解決しようとする課題】
【０００６】
以上のように、従来の電子機器では、筐体内のマザーボードのフリースロットに初実装した電子回路基板に対して、筐体の電源投入直後に、伝送品質を向上させる送信パラメータ、受信パラメータを適宜設定している。このため、基板の故障や構成の変更が生じて新規の基板を活線挿入した場合に、自動的にパラメータを設定することができず、送信、受信の処理に不具合を生じることがあった。
【０００７】
本実施形態の目的は、基板の故障や構成の変更により、新規の基板を活線挿入する場合に、送信パラメータ、受信パラメータを自動調整することができ、これによって活線挿入直後も安定した運用を維持することのできる電子機器を提供することにある。
【課題を解決するための手段】
【０００８】
本実施形態に係る電子機器は、伝送路に基板を着脱自在に接続するための複数のフリースロットと、前記複数のフリースロットの全てと前記伝送路を介して接続される専用スロットと、前記複数のフリースロットそれぞれに対応して設けられ前記フリースロットに挿入される基板にスロット識別符号を与える複数の識別符号発生部とを備える伝送装置と；前記伝送装置の複数のフリースロット及び専用スロットに接続される基板それぞれの送受信信号の品質を管理するホスト制御装置と；前記複数のフリースロットのいずれかに挿入される電子回路基板であって、送信／受信パラメータに従って前記伝送路を介して信号を送受信する第１送受信回路部と、前記第１送受信回路部の送受信処理を制御する送受信制御部と、前記第１送受信回路部に送信／受信パラメータを設定する第１パラメータ設定部と、前記第１送受信回路部の動作状態を監視して前記第１パラメータ設定部を制御する第１監視制御部とを備える前記電子回路基板と；前記専用スロットに接続されるスイッチ処理基板であって、前記複数のフリースロットそれぞれに挿入される電子回路基板と間で送信／受信パラメータに従って信号を送受信する複数の第２送受信回路部と、前記複数の第２送受信回路部それぞれの送受信処理を選択的にオン／オフするスイッチ部と、前記複数の第２送受信回路部に前記送信／受信パラメータを設定する第２パラメータ設定部と、前記複数の第２送受信回路部それぞれの動作状態を監視して前記第２パラメータ設定部を制御する第２監視制御部とを備えるスイッチ処理基板と；を具備し、前記電子回路基板が前記複数のフリースロットのいずれかに活線挿入されたとき；前記電子回路基板の前記第１監視制御部は、活線挿入されたフリースロットに対応する識別符号発生部からのスロット識別符号を取得することで挿入されたフリースロットを認識し、前記ホスト制御装置に認識されたスロット情報と共に起動を通知し、前記第１送受信回路部の受信状態を監視して、当該受信状態が規定状態となるように前記第１パラメータ設定部に前記第１送受信回路部の受信パラメータを変更させ、前記受信状態が規定状態とならない場合にはその旨を前記ホスト制御装置に通知し；前記ホスト制御装置は、前記スロット情報及び起動の通知を受けて、前記スイッチ処理基板に、前記通知を行った電子回路基板の受信状態が規定状態となるように送信パラメータの変更を指示し；前記スイッチ処理基板の第２監視制御部は、前記第２パラメータ設定部に前記ホスト制御装置からの指示に従って前記第２送受信回路部の送信パラメータを変更させる態様とする。
【図面の簡単な説明】
【０００９】
【図１】第１乃至第３の実施形態に係る電子機器の構成例を示すブロック図。
【図２】第１の実施形態の各電子回路基板の監視制御部における受信設定処理の流れを示すフローチャート。
【図３】第１の実施形態のホスト制御基板の電子回路基板における受信設定処理時の処理の流れを示すフローチャート。
【図４】第１の実施形態のスイッチ処理基板の送信設定処理の流れを示すフローチャート。
【図５】第１の実施形態の通信スイッチ処理基板の受信設定処理の流れを示すフローチャート。
【図６】第１の実施形態のホスト制御基板のスイッチ処理基板における受信設定処理時の処理の流れを示すフローチャート。
【図７】第１の実施形態の各電子回路基板の監視制御部における送信設定処理の流れを示すフローチャート。
【図８】第２の実施形態の各電子回路基板の監視制御部における受信設定処理の流れを示すフローチャート。
【図９】第２の実施形態のホスト制御基板の電子回路基板における受信設定処理時の処理の流れを示すフローチャート。
【図１０】第２の実施形態のスイッチ処理基板の送信設定処理の流れを示すフローチャート。
【図１１】第２の実施形態の通信スイッチ処理基板の受信設定処理の流れを示すフローチャート。
【図１２】第２の実施形態のホスト制御基板のスイッチ処理基板における受信設定処理時の処理の流れを示すフローチャート。
【図１３】第２の実施形態の各電子回路基板の監視制御部における送信設定処理の流れを示すフローチャート。
【図１４】第３の実施形態のホスト制御基板の電子回路基板における受信設定処理時の処理の流れを示すフローチャート。
【発明を実施するための形態】
【００１０】
以下、図面を参照しながら本実施形態に係る電子機器を説明する。
【００１１】
（第１の実施形態）
図１は、第１の実施形態に係る電子機器の構成例を示すブロック図である。なお、図１は、収容基板数ｎの場合の例を示している。
【００１２】
この電子機器では、筐体内に伝送装置としてのマザーボード１０が配置される。マザーボード１０は、第１、第２スロットＳ１，Ｓ２及びｎ個の第３スロットＳ３１〜Ｓ３ｎを備える。また、マザーボード１０には、伝送路としてのシリアルバス１０１と制御バス１０２が形成される。シリアルバス１０１には第２スロットＳ２及びｎ個の第３スロットＳ３１〜Ｓ３ｎそれぞれの送受信信号伝送ラインが接続され、制御バス１０２には第１スロットＳ１、第２スロットＳ２及びｎ個の第３スロットＳ３１〜Ｓ３ｎそれぞれの制御信号伝送ラインが接続される。第１、第２スロットＳ１，Ｓ２はそれぞれホスト制御基板１１、スイッチ処理基板１２が着脱自在に接続される専用スロットである。また、ｎ個の第３スロットＳ３１〜Ｓ３ｎは、順不同でｎ枚の電子回路基板１３１〜１３ｎが着脱自在に接続されるフリースロットである。第３スロットＳ３１〜Ｓ３ｎは、それぞれスロット認識用データ（以下、スロットＩＤ）発行部Ａ１〜Ａｎを備える。このスロットＩＤ発行部Ａ１〜Ａｎは、電子回路基板３ｉ（ｉは１〜ｎのいずれか）が装着されたとき、スロットＩＤを発行して装着された基板に通知する。
【００１３】
上記ホスト制御基板１１は、マザーボード１０のｎ個の第３スロットＳ３１〜Ｓ３ｎに接続される電子回路基板１３１〜１３ｎ及び第２スロットＳ２に接続されるスイッチ処理基板１２の送受信信号の品質を管理する。
【００１４】
上記電子回路基板１３ｉは、送受信回路部（ＳＥＲＤＥＳ：SERializer / DESerializer）Ｂ１、送受信制御部Ｂ２、パラメータ設定部Ｂ３、監視制御部Ｂ４及びスロットＩＤ管理部Ｂ５を備える。送受信回路部Ｂ１は、設定された送信／受信パラメータに従ってマザーボード１０のシリアルバスを介して信号を送受信する、パラレル／シリアル変換機能を有する送受信回路である。送受信制御部Ｂ２は、送受信回路部Ｂ１の送受信処理を制御する。パラメータ設定部Ｂ３は、送受信回路部Ｂ１に送信／受信パラメータを設定する。監視制御部Ｂ４は送受信回路部Ｂ１の動作状態を監視し、その動作状態に応じてあるいはホスト制御基板１１からの指示に従って、パラメータ設定部Ｂ３を通じて送受信回路部Ｂ１に適切な送信／受信パラメータを設定する。スロットＩＤ管理部Ｂ５は、マザーボード１０のいずれかの第３スロットＳ３ｉに装着された時に、そのスロットのスロットＩＤ発行部Ａｉから発行されるスロットＩＤを受け取って登録する。ここで、上記パラメータ設定部Ｂ３には、予めスロットＩＤ毎にスイッチ処理基板１２との距離に適応した送信パラメータ及び受信パラメータが登録される。
【００１５】
上記送信パラメータは、例えば信号振幅値、ドライブ電流値であり、受信パラメータは、例えば受信ゲイン、イコライザ値である。上記監視制御部Ｂ４は、送受信回路部Ｂ１の信号受信状態をモニタし、受信信号の信号レベル及びビットエラーを監視して、それぞれ適正値となるようにパラメータ設定部Ｂ３を通じて受信ゲイン及びイコライザ値の受信パラメータを変更する。また、ホスト制御基板１１からの指示に従って、パラメータ設定部Ｂ３を通じて信号振幅またはドライブ電流の送信パラメータを変更する。
【００１６】
上記スイッチ処理基板１２は、送受信回路部（ＳＥＲＤＥＳ：SERializer / DESerializer）Ｃ１１〜Ｃ１ｎ、スイッチ部Ｃ２、パラメータ設定部Ｃ３、監視制御部Ｃ４を搭載する。送受信回路部Ｃ１１〜Ｃ１ｎは、第２スロットＳ２を通じてマザーボード１０のシリアルバスと接続されるｎ本の伝送ラインそれぞれに接続される。ｉ番目の送受信回路部Ｃ１ｉは、設定された送信／受信パラメータに従ってマザーボード１０のシリアルバスを介して対応するｉ番目の第３スロットＳ３ｉに接続される電子回路基板１３ｉとの間で信号を送受信する、パラレル／シリアル変換機能を有する送受信回路である。スイッチ部Ｃ１は監視制御部Ｃ４からの指示により指定された送受信回路部Ｃ１ｉの送受信処理を選択的にオン／オフする。パラメータ設定部Ｃ３は、送受信回路部Ｃ１１〜Ｃ１ｎに送信／受信パラメータを設定する。監視制御部Ｃ４は、各送受信回路部Ｃ１１〜Ｃ１ｎそれぞれの動作状態を監視し、その動作状態に応じてあるいはホスト制御基板１１からの指示に従って、パラメータ設定部Ｃ３を通じて送受信回路部Ｃ１１〜Ｃ１ｎに適切な送信／受信パラメータを設定する。
【００１７】
上記送信パラメータは、例えば信号振幅値、ドライブ電流値であり、受信パラメータは、例えば受信ゲイン、イコライザ値である。上記監視制御部Ｃ４は、送受信回路部Ｃ１ｉの信号受信状態をモニタし、受信信号の信号レベル及びビットエラーを監視して、それぞれ適正値となるようにパラメータ設定部Ｃ３を通じて受信ゲイン、イコライザ値の受信パラメータを変更する。また、ホスト制御基板１１からの指示に従って、パラメータ設定部Ｃ３を通じて信号振幅またはドライブ電流の送信パラメータを変更する。
【００１８】
上記構成による電子機器おいて、以下にその初期設定及び調整について説明する。
【００１９】
電子回路基板１３ｉでは、第３スロットＳ３１〜Ｓ３ｎのいずれかに装着される（装置電源ＯＮまたは基板活線挿入）と、監視制御部Ｂ４は、装着した第３スロットＳ３ｉのスロットＩＤ発行部Ａｉから発行されるスロットＩＤを読み込んでスロットＩＤ管理部Ｂ５に登録し、パラメータ設定部Ｂ３からスロットＩＤに対応した送信パラメータと受信パラメータを読み出して送受信回路部Ｂ１に初期設定する。
【００２０】
すなわち、装着する第３スロットＳ３ｉが決まれば、そのスロットの位置からスイッチ処理基板１２との距離が決まる。そこで、本実施形態の電子機器では、パラメータ設定部Ｂ３に予めスロットＩＤに対応づけてスロット毎のスイッチ処理基板１２までの距離に適応した送信／受信パラメータを登録しておく。そして、スロット装着時に、読み取られたスロットＩＤに対応する送信／受信パラメータをパラメータ設定部Ｂ３から読み出して送受信回路部Ｂ１に設定する。これにより、電子回路基板１３ｉをどの第３スロットＳ３ｉに装着したとしても、適度な送信／受信パラメータを設定することができ、基板間での伝送品質を安定化することができる。しかも、スロットＩＤと送受信パラメータとが対応づけられているので、比較的短時間に設定することができる。
【００２１】
ところで、上記電子機器では、筐体内のマザーボードのフリースロットに初実装した基板に対して、筐体の電源投入直後に、伝送品質を向上させる送信パラメータや受信パラメータ（例えば、信号振幅、ドライブ電流、受信ゲイン、イコライザ等）を自動設定している。
【００２２】
一方、上記電子機器において、運用中に基板の故障や構成の変更が生じた場合には、運用を中断することなく、新規あるいは修理済基板を活線挿入することになるが、活線挿入時には、筐体の電源が再投入されるわけではないので、そのままではパラメータの自動設定は実行されない。そこで、本実施形態では、活線挿入時にパラメータが自動設定されるように、各基板で活線挿入に基づく制御を行う。
【００２３】
以下、上記電子回路基板１３ｉ、ホスト制御基板１１及びスイッチ処理基板１２における活線挿入時の送信・受信パラメータの調整について説明する。
【００２４】
まず、スイッチ処理基板１２から出力される送信信号が各電子回路基板１３ｉで確実に受信可能とするためのパラメータ調整について述べる。
【００２５】
図２は各電子回路基板１３ｉの監視制御部Ｂ４において、基板１３ｉの活線挿入時における受信パラメータ設定の処理の流れを示すフローチャート、図３はホスト制御基板１１の電子回路基板１３ｉの活線挿入時の処理の流れを示すフローチャート、図４はスイッチ処理基板１２の監視制御部Ｃ４における送信設定処理の流れを示すフローチャートである。
【００２６】
図２において、監視制御部Ｂ４は、自身の電子回路基板１３ｉが活線挿入されてスロットＩＤ発行部Ａｉから発行されるスロットＩＤが取得されると（ステップＳ１１）、そのスロットＩＤから活線挿入されたスロットを認識し（ステップＳ１２）、ホスト制御基板１１に基板１３ｉがどのスロットに活線挿入されて起動したことを通知する（ステップＳ１３）。これによって、ホスト制御基板１１は活線挿入された電子回路基板１３ｉが組み込まれたスロットを認識する。
【００２７】
その後、送受信回路部Ｂ１の受信状態を監視し（ステップＳ１４）、受信信号レベルは十分か否かを判断する（ステップＳ１５）。受信信号レベルは十分でないと判断した場合（Ｎｏ）には、パラメータ設定部Ｂ３に対して受信ゲインを１ステップ大きくなるように指示する（ステップＳ１６）。ここで、受信ゲインは最大か否かを判断し（ステップＳ１７）、最大でないと判断した場合（Ｎｏ）にはステップＳ１４に戻って受信状態の監視を継続し、ステップＳ１５で受信信号レベルが十分であると判断されるまで、あるいはステップＳ１７で受信ゲインが最大であると判断されるまで、ステップＳ１６の１ステップアップを実行する。上記ステップＳ１７において、受信ゲインが最大であると判断した場合（Ｙｅｓ）には、受信信号レベルが十分とれないことをホスト制御基板１１に通知する（ステップＳ１８）。また、ステップＳ１５で受信信号レベルが十分であると判断した場合（Ｙｅｓ）には、その旨、ホスト制御基板１１に通知する(ステップＳ１９）。
【００２８】
ここで、ホスト制御基板１１では、図３に示すように、電子回路基板１３ｉからの起動の通知を監視しており（ステップＳ２３）、いずれかの電子回路基板１３ｉから起動の通知があった場合（Ｙｅｓ）には、起動された電子回路基板１３ｉと活線挿入されたスロットを認識する（ステップＳ２４）。
【００２９】
続いて、各電子回路基板１３ｉの受信信号レベルが十分とれないとの通知の有無を判断する（ステップＳ２５）。ステップＳ２５で、受信信号レベルが十分とれないとの通知有りと判断した場合（Ｙｅｓ）には、スイッチ処理基板１２に対し、電子回路基板１３ｉに対する送信設定として、信号振幅またはドライブ電流の送信パラメータを１ステップ大きくするように指示して（ステップＳ２６）、受信信号レベルは十分とれるとの通知の有無を判断し（ステップＳ２７）、その通知があるまでステップＳ２６の処理を繰り返す。ステップＳ２７で、受信信号レベルは十分とれるとの通知有りと判断した場合（Ｙｅｓ）には、ステップＳ２６の処理を停止させ、スイッチ処理基板１２に対する送信パラメータの増加指示を停止させる（ステップＳ２８）。
【００３０】
一方、スイッチ処理基板１２において、監視制御部Ｃ２は、図４に示すように、ホスト制御基板１１からの送信パラメータ調整指示の有無を判断する（ステップＳ２９）。ステップＳ２９で、送信パラメータ調整指示があった場合（Ｙｅｓ）には、パラメータ設定部Ｃ３に対し、電子回路基板１３ｉに対応する送受信回路部Ｃ１ｉの信号振幅またはドライブ電流の送信パラメータを１ステップ大きくし（ステップＳ３０）、調整の停止指示があるまでステップＳ３０の送信パラメータの増大を継続する（ステップＳ３１）。
【００３１】
一方、上記電子回路基板１３ｉにおいて、監視制御部Ｂ４は、図２に示すように、ステップＳ１５で受信信号レベルが十分であると判断した場合（Ｙｅｓ）には、受信信号レベルが十分とれることをホスト制御基板１１に通知する（ステップＳ１９）。続いて、送受信回路部Ｂ１のビットエラー状態を監視し（ステップＳ２０）、ビットエラーの有無を判断する（ステップＳ２１）。ここで、ビットエラー有りと判断した場合（Ｙｅｓ）には、パラメータ設定部Ｂ３にて受信用イコライザのパラメータを調整し（ステップＳ２２）、ステップＳ２０に戻ってビットエラー状態の監視を続ける。ステップＳ２１でビットエラー無しと判断した場合（Ｎｏ）には、一連の受信設定処理を終了する。
【００３２】
以上の処理により、任意のスロットに電子回路基板１３ｉが活線挿入された場合でも、その電子回路基板１３ｉの受信パラメータを自動的に調整することができ、スイッチ処理基板１２から出力される送信信号を活線挿入された電子回路基板１３ｉで確実に受信することが可能となる。
【００３３】
次に、活線挿入された電子回路基板１３ｉから出力される送信信号がスイッチ処理基板１２で確実に受信可能とするための調整について述べる。
【００３４】
図５はスイッチ処理基板１２の監視制御部Ｃ４における受信設定処理の流れを示すフローチャート、図６はホスト制御基板１１の通信スイッチ基板１２における受信設定処理時の処理の流れを示すフローチャート、図７は各電子回路基板１３ｉの監視制御部Ｂ４における送信設定処理の流れを示すフローチャートである。
【００３５】
通信スイッチ基板１２において、監視制御部Ｃ４は、図５に示すように、自身の装置が起動したか否かを判断し（ステップＳ４１）、起動したと判断した場合（Ｙｅｓ）には、ホスト制御基板１１に起動したことを通知する（ステップＳ４２）。続いて、送受信回路部Ｃ１の受信状態を監視し（ステップＳ４３）、受信信号レベルは十分か否かを判断する（ステップＳ４４）。受信信号レベルは十分でないと判断した場合（Ｎｏ）には、パラメータ設定部Ｃ３に対して受信ゲインを１ステップ大きくなるように指示する（ステップＳ４５）。ここで、受信ゲインは最大か否かを判断し（ステップＳ４６）、最大でないと判断した場合（Ｎｏ）にはステップＳ４３に戻って受信状態の監視を継続し、ステップＳ４４で受信信号レベルが十分であると判断されるまで、あるいはステップＳ４６で受信ゲインが最大であると判断されるまで、ステップＳ４５の１ステップアップを実行する。上記ステップＳ４６において、受信ゲインが最大であると判断した場合（Ｙｅｓ）には、受信信号レベルが十分とれないことをホストＣＰＵ基板１１に通知する（ステップＳ４７）。また、ステップＳ４４で受信信号レベルが十分であると判断した場合（Ｙｅｓ）には、その旨、ホスト制御基板１１に通知する(ステップＳ４８）。
【００３６】
ここで、ホスト制御基板１１では、図６に示すように、スイッチ処理基板１２からの起動の通知があるか判断する（ステップＳ５２）。スイッチ処理基板１２から起動の通知があった場合（Ｙｅｓ）には、スイッチ処理基板１２の起動を認識し（ステップＳ５３）、スイッチ処理基板１２から受信信号レベルが十分とれないとの通知の有無を判断する（ステップＳ５４）。受信信号レベルが十分とれないとの通知があった場合（Ｙｅｓ）には、活線挿入された電子回路基板１３ｉに対し、スイッチ処理基板１２に対する送信設定として、信号振幅またはドライブ電流の送信パラメータを１ステップ大きくするように指示して（ステップＳ５５）、受信信号レベルは十分とれるとの通知の有無を判断し（ステップＳ５６）、その通知があるまでステップＳ５５の処理を繰り返す。ステップＳ５６で、受信信号レベルは十分とれるとの通知有りと判断した場合（Ｙｅｓ）には、ステップＳ５５の処理を停止させ、電子回路基板１３ｉに送信パラメータの調整停止を指示する（ステップＳ５７）。
【００３７】
一方、電子回路基板１３ｉにおいて、監視制御部Ｂ４は、図７に示すように、ホスト制御基板１１からの送信パラメータ調整指示の有無を監視しており（ステップＳ５８）、指示を受けた場合（Ｙｅｓ）には、パラメータ設定部Ｂ３に対し、スイッチ処理基板１２の送受信回路部Ｃ１ｉに対応する送信設定として、信号振幅またはドライブ電流の送信パラメータを１ステップ大きくし（ステップＳ５９）、設定の停止指示があるまでステップＳ５９の送信パラメータの増大を継続する（ステップＳ６０）。
【００３８】
また、上記スイッチ処理基板１２において、監視制御部Ｃ４は、図５に示すように、ステップＳ４４で受信信号レベルは十分であると判断された場合（Ｙｅｓ）には、受信信号レベルが十分とれることをホスト制御基板１１に通知する（ステップＳ４８）。続いて、送受信回路部Ａ１ｉのビットエラー状態を監視し（ステップＳ４９）、ビットエラーの有無を判断する（ステップＳ５０）。ここで、ビットエラー有りと判断した場合（Ｙｅｓ）にはパラメータ設定部Ｃ３に対して受信用イコライザのパラメータを調整し（ステップＳ５１）、ステップＳ４９に戻ってビットエラー状態の監視を続ける。ステップＳ４９でビットエラー無しと判断した場合（Ｎｏ）には、一連の受信設定処理を終了する。これにより、通信開始の準備が終了する。
【００３９】
以上述べたように、従来は、筐体の電源投入時のみパラメータの自動設定が行われていたが、本実施形態によれば、活線挿入時に電子回路基板がどのスロットに挿入されたかを自動的に認識して、送信・受信パラメータを自動的に設定することが可能となる。この結果、基板の送信設定、受信設定を活線挿入時に手動で実施する必要がなくなり、低コスト化を実現することができる。
【００４０】
（第２の実施形態）
第１の実施形態では、活線挿入された電子回路基板１３ｉからホスト制御基板１１に起動通知を実施する構成となっている。これに対して、第２の実施形態では、ホスト制御基板１１側で各スロットの挿入状態を管理する場合の構成を示す。
【００４１】
ここで、第２の実施形態に係る電子機器の構成は、図１に示したブロック図の構成と同じであるものとする。このため、第２の実施形態において、第１の実施形態と同一部分には同一符号にて説明する。
【００４２】
図８は、第２の実施形態に係る電子機器の各電子回路基板１３ｉの監視制御部Ｂ４において、基板１３ｉの活線挿入時における受信パラメータ設定の処理の流れを示すフローチャート、図９は第２の実施形態に係る電子機器のホスト制御基板１１の電子回路基板１３ｉの活線挿入時の処理の流れを示すフローチャート、図１０は第２の実施形態に係る電子機器のスイッチ処理基板１２の監視制御部Ｃ４における送信設定処理の流れを示すフローチャートである。
【００４３】
図８において、監視制御部Ｂ４は、自身の電子回路基板１３ｉが活線挿入されてスロットＩＤ発行部Ａｉから発行されるスロットＩＤが取得されると（ステップＳ６１）、そのスロットＩＤから活線挿入されたスロットを認識する（ステップＳ６２）。この状態で、ホスト制御基板１１からスロット毎に巡回的に送られてくる起動の問い合わせを監視し（ステップＳ６３）、問い合わせがあった場合（Ｙｅｓ）には、ホスト制御基板１１に基板１３ｉが活線挿入されて起動したことを通知する（ステップＳ６４）。これによって、ホスト制御基板１１は活線挿入された電子回路基板１３ｉが組み込まれたスロットを認識する。
【００４４】
その後、送受信回路部Ｂ１の受信状態を監視し（ステップＳ６５）、受信信号レベルは十分か否かを判断する（ステップＳ６６）。受信信号レベルは十分でないと判断した場合（Ｎｏ）には、パラメータ設定部Ｂ３に対して受信ゲインを１ステップ大きくなるように指示する（ステップＳ６７）。ここで、受信ゲインは最大か否かを判断し（ステップＳ６８）、最大でないと判断した場合（Ｎｏ）にはステップＳ６５に戻って受信状態の監視を継続し、ステップＳ６６で受信信号レベルが十分であると判断されるまで、あるいはステップＳ６８で受信ゲインが最大であると判断されるまで、ステップＳ６７の１ステップアップを実行する。上記ステップＳ６８において、受信ゲインが最大であると判断した場合（Ｙｅｓ）には、受信信号レベルが十分とれないことをホスト制御基板１１に通知する（ステップＳ６９）。また、ステップＳ６６で受信信号レベルが十分であると判断した場合（Ｙｅｓ）には、その旨、ホスト制御基板１１に通知する(ステップＳ７０）。
【００４５】
ここで、ホスト制御基板１１では、図９に示すように、各スロットに活線挿入される基板１３ｉに起動の問い合わせを行い（ステップＳ７４）、電子回路基板１３ｉからの起動の通知を有無を判断する（ステップＳ７５）。ここで、以前に起動通知があったスロットから起動の通知がないことを判断することで、各スロットから活線抜去された基板１３ｉを認識する（ステップＳ７６）。ステップＳ７５で電子回路基板１３ｉから起動の通知があった場合（Ｙｅｓ）には、起動された電子回路基板１３ｉと活線挿入されたスロットを認識する（ステップＳ７７）。
【００４６】
続いて、各電子回路基板１３ｉの受信信号レベルが十分とれないとの通知の有無を判断する（ステップＳ７８）。ステップＳ７８で、受信信号レベルが十分とれないとの通知有りと判断した場合（Ｙｅｓ）には、スイッチ処理基板１２に対し、電子回路基板１３ｉに対する送信設定として、信号振幅またはドライブ電流の送信パラメータを１ステップ大きくするように指示して（ステップＳ７９）、受信信号レベルは十分とれるとの通知の有無を判断し（ステップＳ８０）、その通知があるまでステップＳ７９の処理を繰り返す。ステップＳ８０で、受信信号レベルは十分とれるとの通知有りと判断した場合（Ｙｅｓ）には、ステップＳ７９の処理を停止させ、スイッチ処理基板１２に対する送信パラメータの増加指示を停止させる（ステップＳ８１）。
【００４７】
一方、スイッチ処理基板１２において、監視制御部Ｃ２は、図１０に示すように、ホスト制御基板１１からの送信パラメータ調整指示の有無を判断する（ステップＳ８２）。ステップＳ８２で、送信パラメータ調整指示があった場合（Ｙｅｓ）には、パラメータ設定部Ｃ３に対し、電子回路基板１３ｉに対応する送受信回路部Ｃ１ｉの信号振幅またはドライブ電流の送信パラメータを１ステップ大きくし（ステップＳ８３）、調整の停止指示があるまでステップＳ８３の送信パラメータの増大を継続する（ステップＳ８４）。
【００４８】
一方、上記電子回路基板１３ｉにおいて、監視制御部Ｂ４は、図８に示すように、ステップＳ６６で受信信号レベルが十分であると判断した場合（Ｙｅｓ）には、受信信号レベルが十分とれることをホスト制御基板１１に通知する（ステップＳ７０）。続いて、送受信回路部Ｂ１のビットエラー状態を監視し（ステップＳ７１）、ビットエラーの有無を判断する（ステップＳ７２）。ここで、ビットエラー有りと判断した場合（Ｙｅｓ）には、パラメータ設定部Ｂ３にて受信用イコライザのパラメータを調整し（ステップＳ７３）、ステップＳ７１に戻ってビットエラー状態の監視を続ける。ステップＳ７２でビットエラー無しと判断した場合（Ｎｏ）には、一連の受信設定処理を終了する。
【００４９】
以上の処理により、任意のスロットに電子回路基板１３ｉが活線挿入された場合でも、その電子回路基板１３ｉの受信パラメータを自動的に調整することができ、スイッチ処理基板１２から出力される送信信号を活線挿入された電子回路基板１３ｉで確実に受信することが可能となる。
【００５０】
次に、活線挿入された電子回路基板１３ｉから出力される送信信号がスイッチ処理基板１２で確実に受信可能とするための調整について述べる。
【００５１】
図１１はスイッチ処理基板１２の監視制御部Ｃ４における受信設定処理の流れを示すフローチャート、図１２はホスト制御基板１１の通信スイッチ基板１２における受信設定処理時の処理の流れを示すフローチャート、図１３は各電子回路基板１３ｉの監視制御部Ｂ４における送信設定処理の流れを示すフローチャートである。
【００５２】
通信スイッチ基板１２において、監視制御部Ｃ４は、図１１に示すように、自身の装置が起動したか否かを判断し（ステップＳ８５）、起動したと判断した場合（Ｙｅｓ）には、ホスト制御基板１１からの起動の問い合わせの有無を判断する（ステップＳ８６）。起動の問い合わせが合った場合には、ホスト制御基板１１に起動したことを通知する（ステップＳ８７）。続いて、送受信回路部Ｃ１の受信状態を監視し（ステップＳ８８）、受信信号レベルは十分か否かを判断する（ステップＳ８９）。受信信号レベルは十分でないと判断した場合（Ｎｏ）には、パラメータ設定部Ｃ３に対して受信ゲインを１ステップ大きくなるように指示する（ステップＳ９０）。ここで、受信ゲインは最大か否かを判断し（ステップＳ９１）、最大でないと判断した場合（Ｎｏ）にはステップＳ８８に戻って受信状態の監視を継続し、ステップＳ８９で受信信号レベルが十分であると判断されるまで、あるいはステップＳ９１で受信ゲインが最大であると判断されるまで、ステップＳ９０の１ステップアップを実行する。上記ステップＳ９１において、受信ゲインが最大であると判断した場合（Ｙｅｓ）には、受信信号レベルが十分とれないことをホストＣＰＵ基板１１に通知する（ステップＳ８２）。また、ステップＳ８９で受信信号レベルが十分であると判断した場合（Ｙｅｓ）には、その旨、ホスト制御基板１１に通知する(ステップＳ９３）。
【００５３】
ここで、ホスト制御基板１１では、図１２に示すように、スイッチ処理基板１２に起動の問い合わせを行い（ステップＳ９７）、スイッチ処理基板１２からの起動の通知の有無を判断する（ステップＳ９８）。スイッチ処理基板１２から起動の通知が無かった場合（Ｎｏ）には、スイッチ処理基板１２が活線抜去されていることを認識する（ステップＳ９９）。スイッチ処理基板１２から起動の通知があった場合（Ｙｅｓ）には、スイッチ処理基板１２の起動を認識し（ステップＳ１００）、スイッチ処理基板１２から受信信号レベルが十分とれないとの通知の有無を判断する（ステップＳ１０１）。受信信号レベルが十分とれないとの通知があった場合（Ｙｅｓ）には、活線挿入された電子回路基板１３ｉに対し、スイッチ処理基板１２に対する送信設定として、信号振幅またはドライブ電流の送信パラメータを１ステップ大きくするように指示して（ステップＳ１０２）、受信信号レベルは十分とれるとの通知の有無を判断し（ステップＳ１０３）、その通知があるまでステップＳ１０２の処理を繰り返す。ステップＳ１０３で、受信信号レベルは十分とれるとの通知有りと判断した場合（Ｙｅｓ）には、ステップＳ１０２の処理を停止させ、電子回路基板１３ｉに送信パラメータの調整停止を指示する（ステップＳ１０４）。
【００５４】
一方、電子回路基板１３ｉにおいて、監視制御部Ｂ４は、図１３に示すように、ホスト制御基板１１からの送信パラメータ調整指示の有無を監視しており（ステップＳ１０５）、指示を受けた場合（Ｙｅｓ）には、パラメータ設定部Ｂ３に対し、スイッチ処理基板１２の送受信回路部Ｃ１ｉに対応する送信設定として、信号振幅またはドライブ電流の送信パラメータを１ステップ大きくし（ステップＳ１０６）、設定の停止指示があるまでステップＳ１０６の送信パラメータの増大を継続する（ステップＳ１０７）。
【００５５】
また、上記スイッチ処理基板１２において、監視制御部Ｃ４は、図１１に示すように、ステップＳ８９で受信信号レベルは十分であると判断された場合（Ｙｅｓ）には、受信信号レベルが十分とれることをホスト制御基板１１に通知する（ステップＳ９３）。続いて、送受信回路部Ａ１ｉのビットエラー状態を監視し（ステップＳ９４）、ビットエラーの有無を判断する（ステップＳ９５）。ここで、ビットエラー有りと判断した場合（Ｙｅｓ）にはパラメータ設定部Ｃ３に対して受信用イコライザのパラメータを調整し（ステップＳ９６）、ステップＳ９４に戻ってビットエラー状態の監視を続ける。ステップＳ９５でビットエラー無しと判断した場合（Ｎｏ）には、一連の受信設定処理を終了する。これにより、通信開始の準備が終了する。
【００５６】
以上述べたように、第２の実施形態によっても、活線挿入時に電子回路基板がどのスロットに挿入されたかを自動的に認識して、送信・受信パラメータを自動的に設定することが可能となる。この結果、基板の送信設定、受信設定を活線挿入時に手動で実施する必要がなくなり、低コスト化を実現することができる。
【００５７】
（第３の実施形態）
上記第２の実施形態では、直接、任意のスロットに対して電子回路基板１３ｉを活線挿入・抜去した場合に、ホスト制御基板１１がそれを自動認識するようにしたが、予め、ホスト制御基板１１に各スロットの構成情報（基板の活線挿入・抜去の状態）の変更登録しておくようにしてもよい。図１４にその処理の流れを示す。
【００５８】
図１４において、ホスト制御基板１１では、各スロットの構成情報の変更の有無を判断し（ステップＳ１０８）、変更があった場合（Ｙｅｓ）には、変更された構成情報に基づいて各スロットの電気回路基板１３ｉの活線挿入・抜去を認識する（ステップＳ１０９）。続いて、各スロットに活線挿入される基板１３ｉに起動の問い合わせを行い（ステップＳ１１０）、起動の通知の有無を判断して（ステップＳ１１１）、起動の通知があった場合（Ｙｅｓ）に基板１３ｉが活線挿入されたスロットを認識する（ステップＳ１１２）。
【００５９】
この状態で、電子回路基板１３ｉから受信信号レベルが十分とれないとの通知の有無を判断し（ステップＳ１１３）、通知があった場合（Ｙｅｓ）には、スイッチ処理基板１２に電子回路基板１３ｉに対する送信パラメータの調整を指示し（ステップＳ１１４）、電子回路基板１３ｉから受信信号レベルが十分とれるとの通知があるまでその調整指示を継続する（ステップＳ１１５）。電子回路基板１３ｉから受信信号レベルが十分とれるとの通知があった場合（Ｙｅｓ）には、スイッチ処理基板１２に電子回路基板１３ｉに対する送信パラメータの調整停止を指示し（ステップＳ１１６）、一連の処理を終了する。
【００６０】
上記構成によれば、予めホスト制御基板１１にスロット構成情報の変更登録がなされるため、活線挿入のあったスロットのみ起動通知の有無を判断すればよく、活線挿入された基板の起動を効率的に認識することができる。
【００６１】
尚、上記の各実施形態では、スイッチ処理基板、電子回路基板それぞれがパラメータ設定部を備える場合について説明したが、スイッチ処理基板が送信パラメータ設定部を備え、電子回路基板それぞれが受信パラメータ設定部を備える場合、あるいはスイッチ処理基板が受信パラメータ設定部を備え、電子回路基板それぞれが送信パラメータ設定部を備える場合でも同様に実施可能である。
【００６２】
また、上記実施形態における電子回路基板１３１〜１３ｎには、例えばメモリ基板、様々な通信機器と接続するためのインターフェース基板、デコーダ／エンコーダ基板等が適用可能である。
【００６３】
また、上記実施形態はそのままに限定されるものではなく、実施段階ではその要旨を逸脱しない範囲で構成要素を変形して具体化できる。また、上記実施形態に開示されている複数の構成要素の適宜な組み合わせでもよい。例えば、実施形態に示される全構成要素から幾つかの構成要素を削除してもよい。さらに、異なる実施形態にわたる構成要素を適宜組み合わせてもよい。
【符号の説明】
【００６４】
１０…マザーボード、１０１…シリアルバス、１０２…制御バス、Ａ１〜Ａｎ…スロットＩＤ発行部、１１…ホスト制御基板、１２…スイッチ処理基板、Ｓ１…第１スロット（ホスト制御基板専用）、Ｓ２…第２スロット（スイッチ処理基板専用）、Ｓ３１〜Ｓ３ｎ…第３スロット（フリースロット）、１３１〜１３ｎ…電子回路基板、Ｂ１…送受信回路部（ＳＥＲＤＥＳ：SERializer / DESerializer）、Ｂ２…送受信制御部、Ｂ３…パラメータ設定部、Ｂ４…監視制御部、Ｂ５…スロットＩＤ管理部、Ｃ１１〜Ｃ１ｎ…送受信回路部（ＳＥＲＤＥＳ：SERializer / DESerializer）、Ｃ２…スイッチ部、Ｃ３…パラメータ設定部、Ｃ４…監視制御部。
【要約】
【課題】基板の故障や構成の変更により、新規の基板を活線挿入する場合に、送信パラメータ、受信パラメータを自動調整する。
【解決手段】電子回路基板がフリースロットのいずれかに活線挿入されたとき、電子回路基板の第１監視制御部は、活線挿入スロットに対応するＩＤ発生部からのスロットＩＤを取得することで挿入スロットを認識し、ホスト制御装置に認識されたスロット情報と起動を通知し、第１送受信回路部の受信状態が規定状態となるように第１パラメータ設定部に第１送受信回路部の受信パラメータを変更させる。ホスト制御装置は、スロット情報及び起動の通知を受けて、スイッチ処理基板に、通知を行った電子回路基板の受信状態が規定状態となるように送信パラメータの変更を指示する。スイッチ処理基板の第２監視制御部は、第２パラメータ設定部にホスト制御装置からの指示に従って第２送受信回路部の送信パラメータを変更させる。
【選択図】図１【図１】
0005537682.tif 000002
【図２】
0005537682.tif 000003
【図３】
0005537682.tif 000004
【図４】
0005537682.tif 000005
【図５】
0005537682.tif 000006
【図６】
0005537682.tif 000007
【図７】
0005537682.tif 000008
【図８】
0005537682.tif 000009
【図９】
0005537682.tif 000010
【図１０】
0005537682.tif 000011
【図１１】
0005537682.tif 000012
【図１２】
0005537682.tif 000013
【図１３】
0005537682.tif 000014
【図１４】
0005537682.tif 000015